(57)【特許請求の範囲】
【請求項１】
外部から吸い込んだ空気を浄化して外部に吹き出す浄化空気用送風部を備えた空気清浄機において、
イオン発生器及び送風機を有し、該イオン発生器により発生させたイオンを前記送風機により外部から吸い込んだ空気と共に横長のイオン用吹出口から外部に吹き出すイオン用送風部を備え、
該イオン用吹出口からの吹出し方向と前記浄化空気用送風部の吹出し方向とが異なる方向であり、
前記浄化空気用送風部は、水槽と、該水槽内に収容される水に下部が浸漬し、通風される浄化空気を加湿する吸水フィルタと、該水槽に水を補給する給水タンクとを備え、前面側に後方へ傾斜した傾斜部分又は後方へ窪んだ窪み部分を有し、
前記イオン用送風部は、前記浄化空気用送風部の傾斜部分の前側又は窪み部分に位置しており、
前記送風機は、ファンと、該ファンを回転させるモータとを有するクロスフローファンであって、前記モータは、正面視で前記給水タンクの反対側に配置してあることを特徴とする空気清浄機。
【請求項２】
前記イオン用吹出口からの吹出し方向は前方であり、
前記浄化空気用送風部の吹出し方向は上方であることを特徴とする請求項１に記載の空気清浄機。
【請求項３】
前記浄化空気用送風部は、イオン発生器を有し、該イオン発生器により発生させたイオンを浄化空気と共に外部に吹き出す構成であることを特徴とする請求項１又は２に記載の空気清浄機。
【請求項４】
前記イオン用送風部は、外部の空気を吸い込むイオン用吸込口と、該イオン用吸込口と前記イオン用吹出口とを繋ぐ横長断面の通風路とを更に有し、前記イオン発生器は前記通風路の途中に配置され、前記送風機は、回転軸の方向が横長の断面の長手方向に沿うように前記通風路の途中に配置してあることを特徴とする請求項１から３の何れかに記載の空気清浄機。
【請求項５】
前記イオン用吸込口は、前面、下面又は横側面に設けてあり、
前記浄化空気用送風部の吸込口が、後面、下面又は横側面に設けてあることを特徴とする請求項４に記載の空気清浄機。
【請求項６】
前記イオン用吸込口は、前記浄化空気用送風部の吸込口に対して上側に位置していることを特徴とする請求項５に記載の空気清浄機。
【請求項７】
前記イオン用吸込口は、前面に設けられ、上部が前記送風機の前側に位置し、下部が前記送風機よりも下側に位置しており、
前記イオン用吸込口に、上部が前側に傾斜した防塵フィルタを備えていることを特徴とする請求項４に記載の空気清浄機。
【請求項８】
前記イオン用吸込口は、下縁部の中央部が前面視で下側に凸状をなすことを特徴とする請求項７に記載の空気清浄機。
【請求項９】
前記イオン用吸込口の前方を覆う前パネルを備え、該前パネルは、上下摺動可能又は上部側を支点とした前後揺動が可能であることを特徴とする請求項７又は８に記載の空気清浄機。
【請求項１０】
前記モータは、前記水槽より前側に配置してあることを特徴とする請求項１から９の何れか１項に記載の空気清浄機。
【請求項１１】
前記イオン用送風部は上側に配置されており、
前記イオン用送風部よりも下側の前面を覆うカバーを備え、該カバーは上部側ほど後方に傾斜した面を上部に有することを特徴とする請求項７から１０の何れか１項に記載の空気清浄機。
【請求項１２】
底面に脚部又は車輪を備え、
前記カバーは、下部側ほど後方に傾斜した面を下部に有することを特徴とする請求項１１に記載の空気清浄機。
【請求項１３】
前面側が異臭又は細菌の存在箇所に向くように設置することを特徴とする請求項２から１２の何れか１項に記載の空気清浄機の使用方法。
【発明の詳細な説明】
【技術分野】
【０００１】
本発明は、浄化空気及びイオンを室内に供給する空気清浄機及び空気清浄機の使用方法
に関する。
【背景技術】
【０００２】
イオンの発生機能が付加された空気清浄機では、送風ファン等によって外部から吸い込まれた空気が通風路を流れ、通風路に設けた浄化フィルタによって空気中に含まれる有害物質等が除去された浄化空気を外部に吹き出す吹出口の近傍にイオン発生器を設置し、イオン発生器で発生したイオンを浄化空気と共に外部に吹き出すようにしたものが一般的である（特許文献１参照）。
【０００３】
又、別々の吸込口から吸い込んだ空気を通風させて別々の吹出口から外部に吹き出す２つの通風路を備え、一方の通風路では浄化フィルタによって吸い込んだ空気を浄化し、他方の通風路ではイオン発生器で発生したイオンを付加する空気清浄機において、２つの通風路の吹出口が横方向に並置され、吹出し方向を平行な状態で上向きとした構成が公知である（特許文献２参照）。
【先行技術文献】
【特許文献】
【０００４】
【特許文献１】特開２００９−１４２３５６号公報
【特許文献２】特開２０１０−２７６２９６号公報
【発明の概要】
【発明が解決しようとする課題】
【０００５】
特許文献１に記載の空気清浄機では、外部に吹き出すイオンの供給量はイオン発生器が設置された箇所を流れてイオンが付加される際の浄化空気の風量に依存するため、イオンの供給量を多くするには、送風ファンの回転数を高くして浄化空気の風量を多くする必要がある。その結果、全体の消費電力が増加し、運転時の騒音も大きくなる。
【０００６】
特許文献２に記載の空気清浄機では、浄化空気及びイオンは横方向に並置された各吹出口から平行に上向きに吹き出されるので、イオンの供給量を変更するためにイオン用通風路の送風量を変化させた場合に、イオンが付加された空気の吹き出し量の変化が浄化空気の吹き出し状態に影響し、室内等に対する浄化空気の供給効率が損なわれる場合がある。
【０００７】
本発明は、上述したような事情に鑑みてなされたものであり、室内等に対する浄化空気の供給効率を損なうことなく、イオンの供給量を変更することができる空気清浄機及び空気清浄機の使用方法を提供することを目的とする。
【課題を解決するための手段】
【０００８】
本発明に係る空気清浄機は、外部から吸い込んだ空気を浄化して外部に吹き出す浄化空気用送風部を備えた空気清浄機において、イオン発生器及び送風機を有し、該イオン発生器により発生させたイオンを前記送風機により外部から吸い込んだ空気と共に横長のイオン用吹出口から外部に吹き出すイオン用送風部を備え、該イオン用吹出口からの吹出し方向と前記浄化空気用送風部の吹出し方向とが異なる方向であり、前記浄化空気用送風部は、水槽と、該水槽内に収容される水に下部が浸漬し、通風される浄化空気を加湿する吸水フィルタと、該水槽に水を補給する給水タンクとを備え、前面側に後方へ傾斜した傾斜部分又は後方へ窪んだ窪み部分を有し、前記イオン用送風部は、前記浄化空気用送風部の傾斜部分の前側又は窪み部分に位置しており、前記送風機は、ファンと、該ファンを回転させるモータとを有するクロスフローファンであって、前記モータは、正面視で前記給水タンクの反対側に配置してあることを特徴とする。
【０００９】
本発明によれば、イオン発生器及び送風機を有するイオン用送風部において、イオン発生器により発生させたイオンが、送風機の動作により外部から吸い込んだ空気と共に浄化空気用送風部の吹出し方向と異なる方向で外部に吹き出される。イオン用送風部の送風機はクロスフローファンであり、イオンを含む空気は安定した層流状態で吹き出され、乱流によるイオンの消滅を抑制し、効率よくイオンを送り出すことができる。浄化空気用送風部では、給水タンクから水槽に水が補給され、下部が水槽内に収容される水に浸漬し、水槽内の水を吸水して加湿された吸水フィルタを浄化空気が通風して加湿させることができる。イオン用送風部は、浄化空気用送風部の前面側に設けた後方への傾斜部分又は窪み部分に位置させ、また重量の重いクロスフローファンのモータは、浄化空気用送風部が備える給水タンクと正面視で反対側に配置させてあり、イオン用送風部の前方への突出を抑制して外形サイズの大型化を避けると共に、左右方向及び前後方向の重量バランスを良好にできる。浄化空気用送風部による浄化空気の供給量とは独立してイオン用送風部によるイオンの供給量の調整が可能となるので、例えば、室内等が埃等であまり汚れていない綺麗な状態では、浄化空気の供給量を少なくして送風ファン等の消費電力や騒音を小さくする一方、イオン用送風部によるイオンの供給量を多くすることができる。
【００１０】
本発明に係る空気清浄機は、前記イオン用吹出口からの吹出し方向は前方であり、前記浄化空気用送風部の吹出し方向は上方であることを特徴とする。
本発明によれば、浄化空気は上方に吹き出され、イオンを含む空気は前方に吹き出されるので、イオン用送風部の送風量の変化が浄化空気用送風部による浄化空気の吹き出し状態に与える影響を確実に小さくすることが可能である。尚、浄化空気の吹出し方向である上方は、真上以外に斜め上方も含む概念である。またイオンを含む空気の吹出し方向である前方は、真正面前方以外に斜め上前方及び斜め下前方も含む概念である。
【００１１】
本発明に係る空気清浄機は、前記浄化空気用送風部は、イオン発生器を有し、該イオン発生器により発生させたイオンを浄化空気と共に外部に吹き出す構成であることを特徴とする。
本発明によれば、浄化空気用送風部により、外部から吸い込まれて浄化された浄化空気と共に、イオン発生器により発生させたイオンが外部に吹き出される。その結果、イオンの供給能力を高くすることができる。
【００１２】
本発明に係る空気清浄機は、前記イオン用送風部は、外部の空気を吸い込むイオン用吸込口と、該イオン用吸込口と前記イオン用吹出口とを繋ぐ横長断面の通風路とを更に有し、前記イオン発生器は前記通風路の途中に配置され、前記送風機は、回転軸の方向が横長の断面の長手方向に沿うように前記通風路の途中に配置してあることを特徴とする。
本発明によれば、イオン用送風部では、イオン用吹出口とイオン用吸込口とを繋ぐ横長断面のイオン用通風路の途中において、断面の長手方向に沿う回転軸を有する送風機が作動し、外部の空気がイオン用吸込口から吸い込まれて通風路を流れるときに通風路の途中に配置したイオン発生器により発生したイオンが付加され、イオンを含む空気がイオン用吹出口から吹き出される。送風機はクロスフローファンであり、イオンを含む空気は安定した層流状態で吹き出される。
【００１４】
本発明に係る空気清浄機は、前記イオン用吸込口は、前面、下面又は横側面に設けてあり、前記浄化空気用送風部の吸込口が、後面、下面又は横側面に設けてあることを特徴とする。
本発明によれば、例えば、イオン用吸込口を前面又は横側面に設け、浄化空気用送風部の吸込口を後面又は横側面に設けた空気清浄機を室内の床上に設置した場合、後面又は横側面の吸込口から吸い込まれた空気が浄化された後、上方に吹き出され、前面又は横側面のイオン用吸込口から吸い込まれた空気にイオンが付加された後、前方に吹き出される。また、イオン用吸込口及び浄化空気用送風部の吸込口を下面又は横側面に設けた空気清浄機を壁に取り付けた場合、下面又は横側面の吸込口から吸い込まれた空気が浄化された後、上方に吹き出され、下面又は横側面のイオン用吸込口から吸い込まれた空気がイオンを付加された後、前方に吹き出される。その結果、イオン用送風部の吹出し方向と浄化空気用送風部の吹出し方向とを異なる方向としてイオンの吹き出し状態が浄化空気の流れへ与える影響を抑制しつつ、空気清浄機を床置き、壁掛け等の異なる設置形態で使用することができる。
【００１５】
本発明に係る空気清浄機は、前記イオン用吸込口は、前記浄化空気用送風部の吸込口に対して上側に位置していることを特徴とする。
本発明によれば、上側に位置したイオン用吸込口は設置面からの高さが浄化空気用送風部の吸込口より高いので、設置面に近い浄化空気用送風部の吸込口と比べて吸い込まれる空気中の埃等の量が少ない。その結果、イオン用吸込口に設置する防塵用のフィルタは通気抵抗の小さい簡易なタイプを使用することができ、また埃等がイオン用吸込口から通風路に侵入してイオン発生器の動作不良を発生させる等の問題も抑制することができる。
【００１６】
本発明に係る空気清浄機は、前記イオン用吸込口は、前面に設けられ、上部が前記送風機の前側に位置し、下部が前記送風機よりも下側に位置しており、前記イオン用吸込口に、上部が前側に傾斜した防塵フィルタを備えていることを特徴とする。
本発明によれば、前面に設けたイオン用吸込口の上部を送風機の前側に位置させて送風機との干渉を避けることができ、イオン用吸込口の下部を送風機よりも下側に位置させることにより、イオン用吸込口の開口面積を広くして吸込み風量を確保することができる。また、イオン用吸込口に備えた防塵フィルタに捕集された埃等は、堆積量が多くなると上部が前側に傾斜している防塵フィルタから落下し易く、イオン用吸込口から内部への侵入が防止できる。
【００１７】
本発明に係る空気清浄機は、前記イオン用吸込口は、下縁部の中央部が前面視で下側に凸状をなすことを特徴とする。
本発明によれば、イオン用吸込口は左右中央部での上下幅が端部側よりも広く、通気抵抗が小さいので、中央部での吸引量を端部側での吸引量よりも大きくした状態で安定に外部の空気を吸い込むことができる。
【００１８】
本発明に係る空気清浄機は、前記イオン用吸込口の前方側を覆う前パネルを備え、該前パネルは、上下摺動可能又は上部側を支点とした前後揺動が可能であることを特徴とする。
本発明によれば、上下摺動可能な前パネルでは、前パネルが上側に摺動されると、イオン用吸込口の下部が露出してイオン用吸込口に吸引される空気の通気抵抗が小さくなり、前パネルが下側に摺動されると、イオン用吸込口の下部が露出せずイオン用吸込口に吸引される空気の通気抵抗が大きくなる。また、前後揺動可能な前パネルでは、前パネルが上部側を支点として前側に揺動されると、前パネルとイオン用吸込口との間隙が大きくなるのでイオン用吸込口に吸引される空気の通気抵抗が小さくなり、前パネルが後側に揺動されると、前パネルとイオン用吸込口との間隙が小さくなるのでイオン用吸込口に吸引される空気の通気抵抗が大きくなる。その結果、イオン用吸込口の前方側を覆う前パネルを上下摺動又は前後揺動させることにより、イオン用吸込口に吸引される空気の吸引量を変化させてイオン用吹出口から吹き出されるイオンの供給量を調整することができる。
【００１９】
本発明に係る空気清浄機は、前記モータは、前記水槽より前側に配置してあることを特徴とする。
本発明によれば、重量の重い送風機のモータと水槽とを前後に配置することで重量をバランスさせることができる。
【００２１】
本発明に係る空気清浄機は、前記イオン用送風部は上側に配置されており、前記イオン用送風部よりも下側の前面を覆うカバーを備え、該カバーは上部側ほど後方に傾斜した面を上部に有することを特徴とする。
本発明によれば、上側に配置されたイオン送風装置よりも下側の前面を覆うカバーに当たった空気の一部は上部側ほど後方に傾斜した上部の面に沿って上方に誘導され、イオン送風装置のイオン用吸込口から吸引される。その結果、前面側で循環する空気にイオンを付加して、イオンを室内等に効率よく供給することができる。
【００２２】
本発明に係る空気清浄機は、底面に脚部又は車輪を備え、前記カバーは、下部側ほど後方に傾斜した面を下部に有することを特徴とする。
本発明によれば、上側に配置されたイオン送風装置よりも下側の前面を覆うカバーに当たった空気の一部は下部側ほど後方に傾斜した下部の面に沿って下方に誘導され、底面と脚部又は車輪との間隙を通って背面側に回り、後面の吸込口から吸引される。その結果、前面側、底面側、後面側で循環する空気の流れによって、浄化空気を室内等に効率よく供給することができる。
【００２３】
本発明に係る空気清浄機の使用方法は、前面側が異臭又は細菌の存在箇所に向くように設置することを特徴とする。
本発明によれば、空気清浄機の前面から前方に吹き出される空気に含まれたイオンが異臭又は細菌の存在箇所に達し、異臭又は細菌を消滅させることができる。
【発明の効果】
【００２４】
本発明に係る空気清浄機によれば、イオン用送風部のイオンを含む空気の吹出し方向と浄化空気用送風部の浄化空気の吹出し方向とが異なる方向であるので、イオンが付加された空気の吹き出し量の変化が浄化空気用送風部による浄化空気の吹き出し状態に影響しないようにすることが可能であり、その結果、室内等に対する浄化空気の供給効率を損なうことなく、イオンの供給量を変更することができ、更に、浄化空気用送風部に対するイオン用送風部の適正な配置により、外形サイズの大型化を避け、左右方向及び前後方向の重量バランスが良好な空気清浄機が提供される。
【００２５】
本発明に係る空気清浄機の使用方法によれば、イオンの吹出し方向である前面側が異臭又は細菌の存在箇所に向くように設置することにより、効率よく異臭又は細菌を消滅させることができる。
【図面の簡単な説明】
【００２６】
【図１】本発明の実施の形態１に係る空気清浄機の前側の外観斜視図である。
【図２】図１に示す空気清浄機の後側の外観斜視図である。
【図３】図１に示す空気清浄機の正面図である。
【図４】図１に示す空気清浄機の背面図である。
【図５】図１に示す空気清浄機の側面図である。
【図６】図１に示す空気清浄機の平面図である。
【図７】図１に示す空気清浄機の側面断面図である。
【図８】図１に示す空気清浄機の正面断面図である。
【図９】図１に示す空気清浄機の一部を拡大した正面断面図である。
【図１０】図１に示す空気清浄機の一部を拡大した側面断面図である。
【図１１】本発明に係る空気清浄機による空気の流れを示す図である。
【図１２】本発明に係る空気清浄機の使用方法を説明する図である。
【図１３】本発明の実施の形態１に係る空気清浄機の別実施形態を模式的に示す側面図である。
【図１４】本発明の実施の形態１に係る空気清浄機の別実施形態を模式的に示す側面図及び一部断面図である。
【図１５】本発明の実施の形態２に係る空気清浄機の側面断面図である。
【発明を実施するための形態】
【００２７】
以下、本発明に係る空気清浄機の実施の形態を図面に基づいて説明する。
（実施の形態１）
図１は本発明の実施の形態１に係る空気清浄機の前側の外観斜視図、図２は同空気清浄機の後側の外観斜視図、図３は同空気清浄機の正面図、図４は同空気清浄機の背面図、図５は同空気清浄機の側面図、図６は同空気清浄機の平面図、図７は同空気清浄機の側面断面図、図８は同空気清浄機の正面断面図、図９は同空気清浄機の一部を拡大した正面断面図、図１０は図１に示す空気清浄機の一部を拡大した側面断面図である。
【００２８】
本発明に係る空気清浄機は、矩形状の箱体を垂直に立てたような外形のハウジング１を備え、ハウジング１の内部は隔壁１１によって前後に仕切られている（図７）。隔壁１１は上側の略半分が後方に傾斜している。
【００２９】
隔壁１１の後側に、浄化用の各種フィルタを収納するフィルタ収納部１ａが形成されている。フィルタ収納部１ａは、ハウジング１の後面側に開口し、直方体状に窪んだ空間であり、フィルタ収納部１ａには、後側より順に、脱臭フィルタ７ａ及び集塵フィルタ７ｂが重ね合わされた状態で収納されている。
【００３０】
脱臭フィルタ７ａは、空気中の臭い成分であるアセトアルデヒドやアンモニアや酢酸等を吸着する機能を有し、長方形をなす枠体にポリエステル製の不織布を取り付け、その上に活性炭を均一に分散配置し、その上からポリエステル製の不織布を被せた構造である。
【００３１】
集塵フィルタ７ｂは、微細な塵埃を捕集する機能を有し、いわゆるＨＥＰＡ（Ｈｉｇｈ  Ｅｆｆｉｃｉｅｎｃｙ  Ｐａｒｔｉｃｕｌａｔｅ  Ａｉｒ）フィルタで構成してある。該ＨＥＰＡフィルタは、ポリエステル／ビニロン系不織布からなる骨材に電石加工したメルトブロー不織布を合わせて濾材とし、これを折り畳み、その上下面にハイドロキシアパタイト加工した不織布からなる抗菌シートを重ねて熱圧着し、ホットメルト付き不織布からなる枠を溶着した構造である。
【００３２】
フィルタ収納部１ａの開口を覆う着脱可能な後パネル２が備えられている。脱臭フィルタ７ａ及び集塵フィルタ７ｂは、後パネル２によってフィルタ収納部１ａからの脱落が防止される。後パネル２は概ね矩形の板状をなし、マトリックス状に複数の小孔からなる吸込口２ａが形成され、裏面にはメッシュ状の繊維シートが貼り付けてある。
【００３３】
集塵フィルタ７ｂの前側に、加湿フィルタユニット３及び水槽４が配されている。水槽４はハウジング１の底板上に載置され、水槽４に支持される加湿フィルタユニット３と共に、ハウジング１の一側部から外部に引き出すことが可能である。水槽４の引き出し側の端部には、タンク受け４０が連設され、タンク受け４０上には、給水栓（不図示）を下向きとした給水タンク４１が着脱される。給水タンク４１から水が適時供給され、水槽４の水位Ｌは一定に維持される（図９）。
【００３４】
加湿フィルタユニット３は、吸水性及び通気性を有し、ジグザグに折り畳まれた円盤状の吸水フィルタ３１及び吸水フィルタ３１を収納保持する円環状の保持枠３０からなる。吸水フィルタ３１は適宜の厚さを有するフィルタ素材を打ち抜いて作製される。保持枠３０は合成樹脂製である。
【００３５】
次に加湿フィルタユニット３の回転支持構造について説明する。保持枠３０の外周面には、幅方向の中央部に全周に亘って歯が形成されたリングギア３２が設けてある。水槽４の内部には、軸心が水槽４の幅方向に沿った２つの支持ローラ６，６が水槽４の長手方向に振り分け配置されている。各支持ローラ６は、長さ方向中央の小径部の両側に斜め外向きに立ち上がる転接面６ａ，６ａを有する鼓形ローラであり、水槽４の幅方向の両側壁４４，４４間に保持された保持ブラケット６０に回転自在に支持されている。
【００３６】
保持ブラケット６０は、水槽４の底板の両端部に垂直に立ち上がる側板を備えた断面がコの字形の部材である。支持ローラ６は、両端面の中央部に設けた凹部６１，６１を保持ブラケット６０の両側板に設けた凸部６２，６２に係合させて保持されている。保持ブラケット６０は、水槽４の幅方向の両側壁４４，４４の内面に両側板を当てた状態で嵌め込まれている。
【００３７】
各支持ローラ６は転接面６ａ，６ａをリングギア３２の両側面に転接させることにより、加湿フィルタユニット３の保持枠３０を下部から支えると共に、水槽４の幅方向の位置決めをする。加湿フィルタユニット３は下部を水槽４の内部に差し込み、垂直に立ち上がる姿勢で支持されている。
【００３８】
保持枠３０のリングギア３２は保持枠３０の上方に配した駆動ユニット５の駆動歯車５１に噛合されている。駆動ユニット５は基台５０の一面に駆動歯車５１及び駆動歯車５１と噛合する伝動歯車５２を備え、基台５０の他面に駆動モータ５３を備え、駆動モータ５３の出力軸が伝動歯車５２に連結されている。基台５０は貫通する固定ネジ５４，５４によりハウジング１内の適宜位置に固定されている。
【００３９】
吸水フィルタ３１には、保持枠３０の内側に侵入した水によって浸水する浸水部３１ａ及び浸水しない非浸水部３１ｂが周方向に離隔して設けてある。非浸水部３１ｂは吸水フィルタ３１の外周部の一部に設けられ、浸水部３１ａは吸水フィルタ３１の外周部の残りに設けられている。加湿フィルタユニット３が回転駆動されていない場合、吸水フィルタ３１は自重で回転し、非浸水部３１ｂの周方向中央部が鉛直方向の最下部に位置する状態となる。
【００４０】
非浸水部３１ｂの周方向中央部が鉛直方向の最下部に位置した場合、吸水フィルタ３１は非浸水状態となり、水槽４内の水を吸水しないため、吸水フィルタ３１は乾燥し、吸水フィルタ３１を通過する空気の加湿が抑制される。吸水フィルタ３１が周方向へ回転して、非浸水部３１ｂの周方向中央部が鉛直方向の最下部から外れた場合、吸水フィルタ３１は浸水状態となり、水槽４内の水を吸水し、吸水フィルタ３１を通過する空気が加湿される。
【００４１】
隔壁１１の前面側に風路カバー１２が取り付けられている。風路カバー１２は、下側の円筒部１２ａと、円筒部１２ａの外周部に下端が連なる扁平状の上側の角筒部１２ｂ（但し、隔壁１１側が開口している）とからなる。円筒部１２ａは、隔壁１１の下側部分と略平行な円形の底壁部１２ａ１と、底壁部１２ａ１の縁部全周と隔壁１１とを接続する側壁部１２ａ２とを有している。角筒部１２ｂは、隔壁１１の上側部分と略平行に対向した状態で後方に傾斜した壁部１２ｂ１と、該壁部１２ｂ１の縁部全周と隔壁１１とを接続する側壁部１２ｂ２とを有している。
【００４２】
加湿フィルタユニット３の前側に、隔壁１１を隔てて送風機８が配置され、隔壁１１の下部には送風機８に通じる複数の通気孔１１ａが形成されている。送風機８はファン８１及び該ファン８１を回転駆動するファンモータ８２を備え、風路カバー１２の底壁部１２ａ１にファンモータ８２が固定されている。ファン８１はターボファンであるが、その他、プロペラファンやクロスフローファンを採用してもよい。ファンモータ８２は駆動制御の容易性を重視して直流モータを用いている。
【００４３】
送風機８の上方側に位置し、隔壁１１と風路カバー１２の角筒部１２ｂとで囲まれた空間が吹出風路１３に形成されている。ハウジング１の上面は、後側部分が前側部分より低くなるように傾斜し、この傾斜した後側部分に、吹出風路１３に連通した上向き開口の吹出口１５が設けてある。吹出口１５には風向板１５ａが設けてある。風向板１５ａは吹き出し空気の方向を斜め後方側から上方側の所定範囲で変更することが可能である。
【００４４】
送風機８のファンモータ８２の駆動によりファン８１が回転し、後パネル２の吸込口２ａから外部の空気（室内の空気）が吸い込まれ、吸い込まれた空気は、脱臭フィルタ７ａ及び集塵フィルタ７ｂを通過する際の臭いや塵埃のない空気に浄化される。浄化された空気は、吸水フィルタ３１で加湿され、又は加湿をされずに、隔壁１１の通気孔１１ａからファン８１の中心部に吸い込まれる。ファン８１の中心部に吸い込まれた空気は、ファンブレード同士の間を通りファン８１の外周から吐き出され、吹出風路１３を流れて上方に導かれて吹出口１５から室内に吹き出される。
【００４５】
以上より、吸込口２ａ、脱臭フィルタ７ａ及び集塵フィルタ７ｂを設けたフィルタ収納部１ａ、送風機８、吹出風路１３及び吹出口１５によって、外部から吸い込んだ空気を浄化して外部に吹き出す浄化空気用送風部が構成される。また浄化空気用送風部は前面側に後方へ傾斜した傾斜部分（風路カバー１２の角筒部１２ｂ）を有している。
【００４６】
後方に傾斜した風路カバー１２の角筒部１２ｂの前側には、ハウジング１の前面に開口した吸込口１８から横断面視で略「くの字」状に湾曲して上向きに伸び、ハウジング１の前面上部に設けた吹出口１７に至る通風路２０が設けてある。通風路２０は、後壁２０ａと、前壁２０ｂと、後壁２０ａ及び前壁２０ｂの両側の縁部を結ぶ側壁２０ｃとで囲まれた空間である。
【００４７】
吹出口１７は横長の開口を有し、複数の縦向きの風向板１７ａ及び横向きの風向板１７ｂを備えている。縦向きの風向板１７ａは前方に吹き出す空気の流れを横方向に広げるように吹出口１７の両端側で外向きの角度とされている。横向きの風向板１７ｂは前方側に吹き出す空気の流れを略水平状態にするためのものである。
【００４８】
通風路２０の吹出口１７に近い箇所に、ファン２１ｃを取り付けた回転軸２１ｂが横向きに配置されたクロスフローファン２１が設けてある。回転軸２１ｂは通風路２０の両側の側壁２０ｃに回転自在に支持されている。クロスフローファン２１の駆動用のモータ２１ａは通風路２０の外に設置され、モータ２１ａの出力軸が回転軸２１ｂと同軸に配置されている。モータ２１ａは前後方向で水槽４より前側に位置している（図７）。また、モータ２１ａは正面視で左側に位置し、正面視で右側に位置する給水タンク４１の反対側に配置されている（図８）。
【００４９】
吸込口１８は横方向が吹出口１７と同幅で縦方向の幅が吹出口１７より広く、正面視で下縁部の中央部が下側に凸状をなす矩形状の開口を有する。吸込口１８は上部がクロスフローファン２１の前側に位置し、下部がクロスフローファン２１より下側に位置し、前側に傾斜している。また吸込口１８は、後パネル２に設けた吸込口２ａに対して上側にある。具体的には、吸込口１８の上端部は最上部位置の吸込口２ａよりも高い位置にあり、吸込口１８の下端部は、最上部位置の吸込口２ａより低いがハウジング１の高さの略半分よりも上側の位置にあり、最下部位置の吸込口２ａよりは高い位置にある。
【００５０】
吸込口１８には防塵フィルタ１９が縦姿勢に装着され、防塵フィルタ１９はクロスフローファン２１と接触しないように上部が下部に対して前側に傾斜している。吸込口１８及び防塵フィルタ１９の前方側を覆うように、前パネル２３がハウジング１に固定されて垂下されている。前パネル２３は吸込口１８の形状に合わせて正面視で下縁部の中央部が下側に凸状をなし、又、中央部が前側に突き出るように左右方向に湾曲している。
【００５１】
通風路２０のクロスフローファン２１と吹出口１７との間の壁面に、正負のイオンを発生させるイオン発生器２２が配設されている。イオン発生器２２には、針状の放電電極（不図示）が風路内に露出するように設けられ、放電電極に給電部（不図示）から交流波形またはインパルス波形の電圧を供給することによって放電電極がイオンを発生する。
【００５２】
クロスフローファン２１のモータ２１ａ及びイオン発生器２２が駆動されると、クロスフローファン２１によって吹出口１７から吸い込まれた空気に、イオン発生器２２により発生したイオンが付加され、イオンを含む空気が吹出口１７より前方側に吹き出される。
【００５３】
放電電極の印加電圧が正電圧の場合はイオンが空気中の水分と結合して主としてＨ+ （Ｈ2 Ｏ）m から成るプラスイオンを発生する。放電電極の印加電圧が負電圧の場合はイオンが空気中の水分と結合して主としてＯ2-（Ｈ2 Ｏ）n から成るマイナスイオンを発生する。ここで、ｍ、ｎは任意の自然数である。Ｈ+ （Ｈ2 Ｏ）m 及びＯ2-（Ｈ2 Ｏ）n は空気中の浮遊菌や臭い成分の表面で凝集してこれらを取り囲む。
【００５４】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生して吹出口から吐出することにより使用者の近傍の殺菌及び臭い除去を行うことができる。
Ｈ+ （Ｈ2 Ｏ）m ＋Ｏ2-（Ｈ2 Ｏ）n →・ＯＨ＋１／２Ｏ2 ＋(ｍ＋ｎ)Ｈ2 Ｏ  ・・・（１）
Ｈ+ （Ｈ2 Ｏ）m ＋Ｈ+ （Ｈ2 Ｏ）m ’＋Ｏ2-（Ｈ2 Ｏ）n ＋Ｏ2-（Ｈ2 Ｏ）n ’
→２・ＯＨ＋Ｏ2 ＋(ｍ＋ｍ'＋ｎ＋ｎ')Ｈ2 Ｏ・・・（２）
Ｈ+ （Ｈ2 Ｏ）m ＋Ｈ+ （Ｈ2 Ｏ）m ’＋Ｏ2-（Ｈ2 Ｏ）n ＋Ｏ2-（Ｈ2 Ｏ）n ’
→Ｈ2Ｏ2＋Ｏ2 ＋(ｍ＋ｍ'＋ｎ＋ｎ')Ｈ2 Ｏ・・・（３）
【００５５】
尚、本実施形態ではイオン発生器２２によってプラスイオン及びマイナスイオンを発生しているが、マイナスイオンのみを発生してもよい。
【００５６】
以上より、吸込口１８、通風路２０、クロスフローファン２１、イオン発生器２２及び吹出口１７によって、イオン発生器２２により発生させたイオンを外部から吸い込んだ空気と共に外部に吹き出すイオン用送風部が構成される。またイオン用送風部は浄化空気用送風部の前面側の傾斜部分（風路カバー１２の角筒部１２ｂ）の前側に位置している。
【００５７】
ハウジング１は、風路カバー１２の前側を覆う前カバー１６を前面下部に備えている。前カバー１６は上部に上部側ほど後方に緩やかに傾斜した上傾斜面１６ａを有する。前カバー１６は下端部に横方向に伸びる凹溝部１６ｃを有し、凹溝部１６ｃの底部は開口している。凹溝部１６ｃの上側斜面が下部側ほど後方に急傾斜した下傾斜面１６ｂを形成している。
【００５８】
ハウジング１の底面には、ロック機構付きの複数の車輪９が取り付けてある。これにより、車輪９のロック機構を解除して空気清浄機を室内の適所に移動させた後、ロック機構を作動させて空気清浄機を床上で移動しない状態で設置することができる。
【００５９】
次に以上の如き構成の空気清浄機による空気の流れについて説明する。図１１は本発明に係る空気清浄機による空気の流れを示す図である。空気清浄機は壁Ｗ際の床面Ｆに設置してある。上面の吹出口１５から斜め後方上向きに吹き出された清浄空気は背側の壁Ｗ、天井及び向かい側の壁（不図示）を経て室内を循環した後、空気清浄機の前面側に戻り、前カバー１６に当たる。前カバー１６の上側部分に当たった空気は上傾斜面１６ａに沿って流れ、前パネル２３と上傾斜面１６ａとの間隙を通ってイオン用の吸込口１８に吸引される。吸込口１８に吸引された空気は防塵フィルタ１９にて埃が除去され、通風路２０を流れるときにイオンを付加され、吹出口１７から前方側に吹き出される。尚、吹出口１７から前方側に吹き出された空気も循環して空気清浄機の前面側に戻る。
【００６０】
一方、前カバー１６の下側部分に当たった空気は凹溝部１６ｃに入って下傾斜面１６ｂに沿って流れ、さらに底面と床面Ｆとの間を流れて背面側に達し、吸込口２ａに吸引される。吸込口２ａに吸引された空気は脱臭フィルタ７ａ、集塵フィルタ７ｂ及び加湿フィルタユニット３を通過して浄化及び加湿され（又は加湿されず）、上面の吹出口１５から吹き出される。以下、このような空気の循環を繰り返す。
【００６１】
次に空気清浄機の上記と異なる使用形態について説明する。図１２は空気清浄機の使用方法を説明する図である。本使用形態では、空気清浄機は壁際ではなく、ＬＤＫタイプの部屋のリビングとダイニングキッチンとの境界付近の床面Ｆに、イオン用の吹出口１７及び吸込口１８をダイニングキッチン側に向け、後パネル２をリビング側に向けて設置してある。ダイニングキッチンはリビングよりも臭気や細菌が発生し易いので、ダイニングキッチン側に向けてイオンを集中的に放出することにより、臭気や細菌の発生を抑制することができ、同時に、リビングに対しては浄化空気を供給することができる。結果的に、浄化空気供給用の空気清浄機とイオン供給用の空気清浄機との２台の空気清浄機の機能が１台の空気清浄機で実現できる。
【００６２】
上記の実施の形態では、前パネル２３がハウジング１に固定されているが、前パネルがハウジング１に上下摺動可能又は上部側を支点とした前後揺動可能に支持される構成でもよい。図１３及び図１４は本発明の実施の形態１に係る空気清浄機の別実施形態を模式的に示す側面図及び一部断面図である。尚、図１４のＢはＡのＢ−Ｂ線における断面を示す。
【００６３】
図１３は前後揺動可能な前パネル２３Ａの例を示し、前パネル２３Ａの上端部２３Ａ１がハウジング１に固定された軸部２３Ａ２に外嵌され回転自在に支持されている。前パネル２３Ａが上端部２３Ａ１を支点として前側に揺動されると、前パネル２３Ａと吸込口１８との間隙が大きくなるので吸込口１８に吸引される空気の通気抵抗が小さくなり、前パネル２３Ａが後側に揺動されると、前パネル２３Ａと吸込口１８との間隙が小さくなるので吸込口１８に吸引される空気の通気抵抗が大きくなる。図１４は上下摺動可能な前パネル２３Ｂの例を示し、前パネル２３Ｂの上部２３Ｂ１がハウジング１に固定されたレール２３Ｂ２に外嵌され上下に摺動自在に支持されている。前パネル２３Ｂを上側に摺動させると、吸込口１８の下部が露出して吸込口１８に吸引される空気の通気抵抗が小さくなり、前パネル２３Ｂを下側に摺動させると、吸込口１８の下部が露出せず吸込口１８に吸引される空気の通気抵抗が大きくなる。
【００６４】
上記の実施の形態では、浄化空気用送風部が、脱臭フィルタ７ａ、集塵フィルタ７ｂ及び加湿フィルタユニット３を備える空気清浄機について説明したが、これに限るものではない。例えば、浄化空気用送風部が、脱臭フィルタ７ａ及び集塵フィルタ７ｂを備え、加湿フィルタユニット３を備えていない空気清浄機でもよい。
【００６５】
上記の実施の形態では、浄化空気用送風部が前面側に後方へ傾斜した傾斜部分（風路カバー１２の角筒部１２ｂ）を有し、イオン用送風部が浄化空気用送風部の前面側の傾斜部分（風路カバー１２の角筒部１２ｂ）の前側に位置しているが、これに限るものではない。例えば、浄化空気用送風部が前面側に後方へ窪んだ窪み部分を有し、イオン用送風部が浄化空気用送風部の前面側の窪み部分に位置している構成でもよい。
【００６６】
（実施の形態２）
図１５は本発明の実施の形態２に係る空気清浄機の側面断面図である。
実施の形態２では、イオン用送風部が浄化空気用送風部と略同程度の高さを有し、浄化空気用送風部の前側に位置している点、イオン用送風部の送風機がターボファンである点、浄化空気用送風部がイオン発生機能を備えている点、及び、加湿フィルタユニットが回転軸で支持される点が実施の形態１と異なる。尚、図１５中、実施の形態１と対応する構成には同じ番号を付している。
【００６７】
具体的には、前面下部にイオン用吸込口１８Ａを設け、前面上部にイオン用吹出口１７Ａを設け、イオン用吸込口１８Ａとイオン用吹出口１７Ａを繋ぐように略鉛直方向向きの通風路２０Ａを形成している。浄化空気用送風部の送風機８と略同高さの位置にイオン用送風部の送風機８Ａが設けてある。尚、イオン用吹出口１７Ａは横長の矩形状である。イオン用吸込口１８Ａには、複数の吸込孔２４ａを有し、内面に防塵フィルタ２４ｂを備えた前パネル２４が着脱自在に取り付けてある。
【００６８】
風路カバー１２の角筒部１２ｂの壁部１２ｂ１にイオン発生器２２Ａを設け、イオン発生器２２Ａにより発生させたイオンを吹出風路１３を流れる浄化空気に付加している。
【００６９】
加湿フィルタユニットの円環状の保持枠３０が中心部に回転軸３０ａを備えており、この回転軸３０ａが水槽４に設けた軸受部４ａに回転自在に支持されている。
【００７０】
上記の実施の形態１，２では、ハウジング１の底面に車輪９を取り付けたが、車輪の代わりに脚部を取り付けてもよい。
【００７１】
上記の実施の形態１，２では、浄化空気用送風部の吸込口２ａを後面に設け、イオン用送風部の吸込口１８を前面に設けたが、これらの吸込口の両方、又は一方を横側面に設けてもよい。
【００７２】
上記の実施の形態１，２では、床面Ｆ上に設置する空気清浄機について説明したが、壁掛け形式の空気清浄機に構成してもよい。壁掛け形式の場合は、後面が壁Ｗに密接されるので、浄化空気用送風部の吸込口２ａは横側面又は下面に設け、イオン用送風部の吸込口１８は前面、横側面又は下面に設ける構成が採用できる。
【００７３】
本発明において、発生させるイオンは帯電微粒子水も含むものとする。この時、イオン発生器は静電霧化装置から成り、静電霧化装置によってラジカル成分を含む帯電微粒子水が生成される。即ち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出されるマイナスイオンも発生する。
【００７４】
なお、今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００７５】
１ａ      フィルタ収納部（浄化空気用送風部）
２ａ      吸込口（浄化空気用送風部）
３１      吸水フィルタ
４        水槽
４１      給水タンク
８Ａ      送風機（イオン用送風部）
９        車輪
１３      吹出風路（浄化空気用送風部）
１５      吹出口（浄化空気用送風部）
１６      前カバー（カバー）
１７      吹出口（イオン用吹出口、イオン用送風部）
１７Ａ    吹出口（イオン用吹出口、イオン用送風部）
１８      吸込口（イオン用吸込口、イオン用送風部）
１８Ａ    吸込口（イオン用吸込口、イオン用送風部）
１９      防塵フィルタ
２０      通風路（イオン用送風部）
２０Ａ    通風路（イオン用送風部）
２１      クロスフローファン（送風機、イオン用送風部）
２１ａ    モータ
２１ｃ    ファン
２２      イオン発生器（イオン用送風部）
２２Ａ    イオン発生器（浄化空気用送風部）
２３      前パネル
２３Ａ    前パネル
２３Ａ１  上端部（支点）
２３Ｂ    前パネル
【図１】
0005836549.tif 000002
【図２】
0005836549.tif 000003
【図３】
0005836549.tif 000004
【図４】
0005836549.tif 000005
【図５】
0005836549.tif 000006
【図６】
0005836549.tif 000007
【図７】
0005836549.tif 000008
【図８】
0005836549.tif 000009
【図９】
0005836549.tif 000010
【図１０】
0005836549.tif 000011
【図１１】
0005836549.tif 000012
【図１２】
0005836549.tif 000013
【図１３】
0005836549.tif 000014
【図１４】
0005836549.tif 000015
【図１５】
0005836549.tif 000016